(57)【要約】      （修正有）【課題】使用者が手にしたときに滑りにくく、取替可能な程度に香水噴霧器から外れにくく、かつ、きらきらと輝く香水噴霧器用ケース等を提供する。【解決手段】香水噴霧器用ケースは、香水噴霧器５に外嵌してこれを収容し支持する底側ケース３と、香水噴霧器５に外嵌してこれを収容しその蓋となる噴霧側ケース４とを備える。底側ケース３は、その外面全体に形成され、複数カットが施された、径０．１ｍｍ〜１．０ｃｍ、高さ０．１ｍｍ〜５ｍｍのガラス製、光沢性高分子樹脂製、金属製又は宝石のいずれかからなる装飾部材６（７）と、その内面に形成され、香水噴霧器５の胴体１０を周囲から押圧する押圧部材９を備える。噴霧側ケース４は、その外面全体に形成された装飾部材６（７）と、その内面に形成され、香水噴霧器５の噴霧部下縁１２を周囲から押圧する押圧部材を備える。押圧部材９の押圧力は、押圧部材の押圧力よりも高い。【選択図】図２
0003145199.tif 000002
【実用新案登録請求の範囲】
【請求項１】
香水噴霧器に外嵌してこれを収容し支持する底側ケースと、
前記香水噴霧器に外嵌してこれを収容しその蓋となる噴霧側ケースと、を備え、
前記底側ケースは、その外面全体に形成され、複数カットが施された、径０．１ｍｍ〜１．０ｃｍ、高さ０．１ｍｍ〜５ｍｍのガラス製、光沢性高分子樹脂製、金属製又は宝石のいずれかからなる第一の装飾部材と、その内面に形成され、前記香水噴霧器の胴体を周囲から押圧する底側押圧部材と、を備え、
前記噴霧側ケースは、その外面全体に形成された前記第一の装飾部材と、その内面に形成され、前記香水噴霧器の噴霧部下縁を周囲から押圧する噴霧側押圧部材と、を備え、
前記底側押圧部材の押圧力が前記噴霧側押圧部材の押圧力よりも高いことを特徴とする香水噴霧器用ケース。
【請求項２】
前記第一の装飾部材に代えて又はこれに加えて、対角線長さ、頂点間距離、長辺長さ又は短辺長さのいずれかが０．１ｍｍ〜１．０ｃｍ、高さ０．１ｍｍ〜５ｍｍである多角形、楕円、星形又は不定形のガラス製、光沢性高分子樹脂製、金属製又は宝石のいずれかからなる第二の装飾部材を備えたことを特徴とする請求項１に記載の香水噴霧器用ケース。
【請求項３】
請求項１又は２に記載の香水噴霧器用ケースと、
請求項１又は２に記載の香水噴霧器であって、その噴霧側と底側との間には前記底側ケース及び前記噴霧側ケースの内径よりも大きい外径の当該底側ケース及び当該噴霧側ケースを係止し、外に露出して装飾部材を兼ねる係止手段が形成された香水噴霧器と、からなる香水噴霧器セット。
【考案の詳細な説明】
【技術分野】
【０００１】
本考案は、香水噴霧器用ケース及び香水噴霧器セットに関し、更に詳しくは、ガラス製の香水噴霧器を保護することによりその破損及びその噴霧部からの香水の漏れをなくし、手にしたときの滑りにくさを実現しつつ、外観上の魅力を高める技術に関する。
【背景技術】
【０００２】
香水噴霧器としては、非特許文献１に開示のものが周知である。しかしながら、香水噴霧器は、噴霧部が形成される関係から、香水噴霧器全体の形がいびつであり外観上の魅力に欠けるという問題や噴霧部の蓋がはずれやすい等の問題から、非特許文献２〜３に開示の香水噴霧器用ケースが数多く出回っている。
【０００３】
【非特許文献１】http://www.f-tri.com/shop/colo/index.html
【非特許文献２】http://www.e-kousui.net/list/atomizer.html
【非特許文献３】http://www.dhc.co.jp/goods/goodssearch.jsp?searchValue=%83A%83g%83%7d%83C%83U%81%5b
【考案の開示】
【考案が解決しようとする課題】
【０００４】
しかしながら、上記の非特許文献２〜３に記載の香水噴霧器用ケースは、外面が比較的つるつるしているため蓋を開けるときには胴体部分を力を入れて指で挟む必要があった。また、ケース自体に凹凸を施したり種々の形状の飾り物を形成させたりするため、コスト高になるという問題があった。更に、光沢感があまりなく、高級感に欠け、お洒落を楽しませる工夫に欠けていた。
本考案は、上記事情に鑑みてなされたものであり、その目的は、使用者が手にしたときに滑りにくく、香水噴霧器を取替可能な程度に当該香水噴霧器から外れにくく、かつ、きらきらと輝く香水噴霧器用ケース及び香水噴霧器セットを提供することにある。
【課題を解決するための手段】
【０００５】
上記課題を解決するために、本考案に係る香水噴霧器用ケースは、
香水噴霧器に外嵌してこれを収容し支持する底側ケースと、
前記香水噴霧器に外嵌してこれを収容しその蓋となる噴霧側ケースと、を備え、
前記底側ケースは、その外面全体に形成され、複数カットが施された、径０．１ｍｍ〜１．０ｃｍ、高さ０．１ｍｍ〜５ｍｍのガラス製、光沢性高分子樹脂製、金属製又は宝石のいずれかからなる第一の装飾部材と、その内面に形成され、前記香水噴霧器の胴体を周囲から押圧する底側押圧部材と、を備え、
前記噴霧側ケースは、その外面全体に形成された前記第一の装飾部材と、その内面に形成され、前記香水噴霧器の噴霧部下縁を周囲から押圧する噴霧側押圧部材と、を備え、
前記底側押圧部材の押圧力が前記噴霧側押圧部材の押圧力よりも高いことを要旨とする。
【０００６】
この場合に、前記第一の装飾部材に代えて又はこれに加えて、対角線長さ、頂点間距離、長辺長さ又は短辺長さのいずれかが０．１ｍｍ〜１．０ｃｍ、高さ０．１ｍｍ〜５ｍｍである多角形、楕円、星形又は不定形のガラス製、光沢性高分子樹脂製、金属製又は宝石のいずれかからなる第二の装飾部材を備えてもよい。
【０００７】
上記課題を解決するために本考案に係る香水噴霧器セットは、
本発明に係る香水噴霧器用ケースと、
前記香水噴霧器であって、その噴霧側と底側との間には前記底側ケース及び前記噴霧側ケースの内径よりも大きい外径の当該底側ケース及び当該噴霧側ケースを係止し、外に露出して装飾機能を兼ねる係止手段が形成された香水噴霧器と、からなることを要旨とする。
【考案の効果】
【０００８】
本考案に係る香水噴霧器用ケースは、底側ケース及び噴霧側ケースの外面全体に、複数カットが施された、径０．１ｍｍ〜１．０ｃｍ、高さ０．１ｍｍ〜５ｍｍの第一の装飾部材が形成されているため、使用者が手にしたときに滑りにくいという効果がある。また、第一の装飾部材には、複数カットが施されているためそれらの複数方向への反射によってきらきらと輝くという効果がある。
【０００９】
本考案に係る香水噴霧器用ケースは、底側ケースの内面に前記香水噴霧器の胴体を周囲から押圧する底側押圧部材が形成され、噴霧側ケースの内面に香水噴霧器の噴霧部下縁を周囲から押圧する噴霧側押圧部材が形成されているため、香水噴霧器を取替可能な程度に香水噴霧器から外れにくいという効果がある。
【００１０】
本考案に係る香水噴霧器用ケースは、底側押圧部材の押圧力が噴霧側押圧部材の押圧力よりも高いため、底側ケースが香水噴霧器を収容したままの状態で噴霧側ケースだけを外すことができる。このとき、第一の装飾部材が底側ケース及び噴霧側ケースの外面全体に形成されているため、第一の装飾部材の間に指肉が入り込んで、香水噴霧器用ケースをしっかりと保持することができ、噴霧側ケースの着脱がしやすい。
【００１１】
以上のように、本考案に係る香水噴霧器用ケースは使いやすいという効果がある。本考案に係る香水噴霧器セットは、本考案に係る香水噴霧器用ケースを備えているため、これと同様の効果がある。
【考案を実施するための最良の形態】
【００１２】
以下、図面を参照して本考案の一実施形態に係る香水噴霧器用ケース１及び香水噴霧器セット２について説明する。
図１は、本考案の一実施形態に係る香水噴霧器用ケース１の外観斜視図であり、図２は、本考案の一実施形態に係る香水噴霧器セット２の分解斜視図である。これらの図に示したように、香水噴霧器用ケース１は、底側ケース３と、噴霧側ケース４とからなり、香水噴霧器セット２は、香水噴霧器用ケース１（底側ケース３と、噴霧側ケース４）と、香水噴霧器５とからなる。
【００１３】
これらの図に示したように、底側ケース３及び噴霧側ケース４は、その外面全体に形成され、複数カットが施された、径０．１ｍｍ〜１．０ｃｍ、高さ０．１ｍｍ〜５ｍｍのガラス製、光沢性高分子樹脂製、金属製又は宝石のいずれかからなる装飾部材６を備える。装飾部材６は、膨出形状をしており、平面円形状である。装飾部材６は、これが滑り止めとなって、使用者による香水噴霧器５の使用時に、香水噴霧器セット２が持ちやすい、落としにくいという効果がある。また、装飾部材６は、きらきらと輝くため、美しいため、使用者を楽しませるという効果がある。
【００１４】
装飾部材６は、大きさ、材質、色等は特に限定されるものではないが、装飾部材６に代えて又はこれに加えて、対角線長さ、頂点間距離、長辺長さ又は短辺長さのいずれかが０．１ｍｍ〜１．０ｃｍ、高さ０．１ｍｍ〜５ｍｍである多角形、楕円、星形又は不定形のガラス製、光沢性高分子樹脂製、金属製又は宝石のいずれかからなる装飾部材７を用いてもよい。
装飾部材６，７は、底側ケース３及び噴霧側ケース４の外面に形成するものであれば、その形成箇所、形成方法は限定されない。本実施形態においては、装飾部材６，７は、外面全体にほぼ均一にほぼ隙間無く形成されているが、間隔を開けてもよいし、不規則的に形成してもよい。
【００１５】
図３は、底側ケース３を香水噴霧器５に取り付けた状態を示す外観斜視図である。同図に示すように、底側ケース３は、香水噴霧器５の底側から被せて押入されることにより、香水噴霧器５に外嵌して香水噴霧器５を収容し支持する。
図４は、底側ケース３及び噴霧側ケース４を香水噴霧器５に取り付けた状態を示す外観斜視図である。同図に示すように、噴霧側ケース４は、香水噴霧器５の噴霧側から被せて押入されることにより、香水噴霧器５に外嵌して香水噴霧器５を収容しその蓋となる。
【００１６】
係止部材８は、香水噴霧器５の噴霧側と底側との間に形成されており、底側ケース３及び噴霧側ケース４の両者の内径よりも大きい外径を備え、底側ケース３及び噴霧側ケース４をそれぞれ下側及び上側から係止する。係止部材８は、底側ケース３及び噴霧側ケース４の間から露出し、香水噴霧器セット２の装飾部材を兼ねる。係止部材８の材質や色は特に限定されないが、金色、銀色、その他の金属色等、光沢感のある外観を呈する材質や色にするとよい。
【００１７】
図５は、底側ケース３の上面図及び縦断面図を示し、図６は、噴霧側ケース４の下面図及び縦断面図を示す。これらの図に示すように、底側ケース３及び噴霧側ケース４は、それらの本体３ａ，４ａがプラスチック製、高分子樹脂製、金属製、木製、又は、セラミックス製の材料により形成される。そして、底側ケース３は、その内面に形成される押圧部材９であって、香水噴霧器５の胴体１０（図２参照）を周囲から押圧する押圧部材９を備える。また、噴霧側ケース４は、その内面に形成される押圧部材１１であって、香水噴霧器５の噴霧部下縁１２（図２参照）を周囲から押圧する押圧部材１１を備える。押圧部材９及び押圧部材１１は、材質、形状及び色は特に限定されないが、プラスチック、高分子樹脂によるものが好ましい。
【００１８】
押圧部材９，１１は、高分子樹脂からなり、円筒状であり、それらの外周面が、それぞれ、底側ケース３、噴霧側ケース４の内周面に接着されている。押圧部材９，１１の内周面側には、それぞれ、１２０度間隔で二本一組（０．１ｍｍ〜１ｃｍ間隔で配置される）の押圧突起９ａ、１１ａが形成されている。押圧突起９ａ，１１ａの組毎の間隔は、１２０度に限定されるものではなく、３０度、６０度、９０度、１８０度等、適当な間隔とすることができる。あるいは、押圧突起９ａ，１１ａは、等間隔ではなく、１箇所のみに形成してもよい。尚、押圧部材９，１１を弾力性のあるスポンジ、ウレタン材料等容易に変形できる材料とする場合には、その厚さを調整することにより、押圧突起９ａ，１１ａを形成しなくてもよい。
【００１９】
本実施形態においては、押圧突起９ａ，１１ａが、それぞれ、胴体１０、噴霧部下縁１２に密着することにより、胴体１０、噴霧部下縁１２が周囲、すなわち、底側ケース３、噴霧側ケース４から押圧され、これによって、香水噴霧器５は、底側ケース３及び噴霧側ケース４から抜け落ちたり外れたりすることが防止される。一方で、押圧突起９ａ，１１ａは、その高さが高すぎると香水噴霧器５を底側ケース３及び噴霧側ケース４に嵌めたり、これらから外すことができなくなる。従って、押圧突起９ａ，１１ａの高さや大きさは、香水噴霧器５の取り替えはできるが外すには少々力を要する程度とされる。具体的には、０ｍｍ超５ｍｍ以下の間で適宜調整される。
【００２０】
更に、押圧部材９と底側ケース３の押圧力の方が、押圧部材１１と噴霧側ケース４の押圧力よりも高くなるように、押圧突起９ａ，１１ａの高さや大きさは適宜調整される。香水噴霧器５を使うときには、底側ケース３を持って噴霧側ケース４を外すのであるから、噴霧側ケース４の方を比較的容易に外れるようにする必要があるためである。本実施形態では、押圧部材９と底側ケース３との押圧力の方が押圧部材１１と噴霧側ケース４との押圧力よりも高ければよい。従って、押圧突起９ａ，１１ａの高さや大きさを調整するのみならず、押圧部材９，１１の厚さ自体を調整してもよい。また、押圧部材９，１１の形状も、円筒状には限定されないため、押圧突起を備えた平面状のものを底側ケース３や噴霧側ケース４の内周面に接着してもよい。
【００２１】
図７は、香水噴霧器セット２の外観を示す図面代用写真である。同図には、８種類の香水噴霧器セット２，２…を示す。装飾部材６は、数ミリ四方であって、輝く材質からなるものであるから、組み合わせ次第によって、様々な模様や色彩の香水噴霧器用ケース１を製造することができることがわかる。
【００２２】
以上、本考案の一実施形態について説明したが、本考案は上記実施の形態に何ら限定されるものではない。本考案は、上記実施形態を逸脱しない範囲で種々の改変が可能である。
【産業上の利用可能性】
【００２３】
本考案に係る香水噴霧器用ケース及び香水噴霧器セットは、化粧品関連商品や生活雑貨関連商品として製造販売できるため、関連メーカーにとって産業上有益である。
【図面の簡単な説明】
【００２４】
【図１】本考案の一実施形態に係る香水噴霧器用ケース１の外観斜視図である。
【図２】本考案の一実施形態に係る香水噴霧器セット２の分解斜視図である。
【図３】底側ケース３を香水噴霧器５に取り付けた状態を示す外観斜視図である。
【図４】底側ケース３及び噴霧側ケース４を香水噴霧器５に取り付けた状態を示す外観斜視図である。
【図５】底側ケース３の上面図及び縦断面図を示す。
【図６】噴霧側ケース４の下面図及び縦断面図を示す。
【図７】８種類の香水噴霧器セット２，２…の外観を示す図面代用写真である。
【符号の説明】
【００２５】
１  香水噴霧器用ケース
２  香水噴霧器セット
３  底側ケース
３ａ  本体
４  噴霧側ケース
４ａ  本体
５  香水噴霧器
６，７  装飾部材
８  係止部材
９，１１  押圧部材
９ａ，１１ａ  押圧突起
１０  胴体
１２  噴霧部下縁
【図１】
0003145199.tif 000003
【図２】
0003145199.tif 000004
【図３】
0003145199.tif 000005
【図４】
0003145199.tif 000006
【図５】
0003145199.tif 000007
【図６】
0003145199.tif 000008
【図７】
0003145199.tif 000009